【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
加熱手段によって内部の水を加熱して得た湯水を内部に貯留する貯湯タンクと、
前記貯湯タンクに貯留された湯水を前記貯湯タンク筒状部の上部に設けられたタンク湯取出口から取水して前記貯湯タンクの中部から下部の間に戻す追焚き熱源側循環管路と、
この追焚き熱源側循環管路に湯水を循環させる追焚き循環ポンプと、
前記追焚き熱源側循環管路の湯水循環方向に開く逆止弁と、
前記追焚き熱源側循環管路の途中に設けられて前記循環される湯水を熱交換の高温側に用いる熱交換器と、
を備える貯湯式給湯機において、
前記追焚き熱源側循環管路は、前記タンク湯取出口から水平または下側斜めに取り出すことを特徴とする貯湯式給湯機。
【手続補正２】
【補正対象書類名】明細書
【補正対象項目名】全文
【補正方法】変更
【補正の内容】
【発明の詳細な説明】
【発明の名称】貯湯式給湯機
【技術分野】
【０００１】
本発明は、熱交換器に接続される追焚き熱源側循環管路を備えた貯湯式給湯機に関するものである。
【背景技術】
【０００２】
特許文献１に記載の貯湯式給湯機は、貯湯タンクの上部にタンク湯取出口を設けた一次側循環回路に、暖房用熱交換器と、一次側循環ポンプと、一次側循環回路の循環方向に開く逆止弁と、を備えた構成になっている。
【０００３】
【特許文献１】特開２００５−３４５０４１号公報
【発明の開示】
【発明が解決しようとする課題】
【０００４】
しかしながら、上記特許文献１では、一次側循環回路のタンク湯取出口が貯湯タンクの上部に上向きに設けられているため、貯湯タンク内が湯水で満たされたときに一次側循環回路には空気が滞留しやすい。この一次側循環回路に滞留した空気は貯湯タンク内に満たされた湯水によって逃げ場を遮断されるため、一次側循環回路に滞留した空気をタンク湯取出口から吐出させることは困難であった。また、一次側循環ポンプを作動させても、一次側循環回路に滞留した空気および一次側循環回路の配管抵抗によっては、タンク湯取出口から呼び水を導入できず、一次側循環ポンプが空運転してしまうという問題があった。
【０００５】
本発明は、上記に鑑みてなされたものであって、追焚き循環ポンプが空運転することなく、貯湯タンクの上部から追焚き熱源側循環管路への呼び水を可能とする貯湯式給湯機を得ることを目的とする。
【課題を解決するための手段】
【０００６】
上述した課題を解決し、目的を達成するために、本発明は、加熱手段によって内部の水を加熱して得た湯水を内部に貯留する貯湯タンクと、前記貯湯タンクに貯留された湯水を前記貯湯タンク筒状部の上部に設けられたタンク湯取出口から取水して前記貯湯タンクの中部から下部の間に戻す追焚き熱源側循環管路と、この追焚き熱源側循環管路に湯水を循環させる追焚き循環ポンプと、前記追焚き熱源側循環管路の湯水循環方向に開く逆止弁と、前記追焚き熱源側循環管路の途中に設けられて前記循環される湯水を熱交換の高温側に用いる熱交換器とを備える貯湯式給湯機において、前記追焚き熱源側循環管路は、前記タンク湯取出口から水平または下側斜めに取り出すことを特徴とする。
【発明の効果】
【０００７】
本発明によれば、追焚き熱源側循環管路は、貯湯タンクの筒状部の上部に設けたタンク湯取出口から、水平または下側斜めに取り出しているので、貯湯タンク内の湯水の水位が上昇してタンク湯取出口まで到達した際に、貯湯タンク内の湯水が追焚き熱源側循環管路に流入し、これと同時に追焚き熱源側循環管路内に滞留した空気がタンク湯取出口から貯湯タンク内に吐出されるので、貯湯タンク内の湯水の水位がタンク湯取出口の上方まで上昇したときには、追焚き熱源側循環管路内には滞留空気が存在せず、これにより追焚き循環ポンプが空運転することなく貯湯タンクの上部から追焚き熱源側循環管路への呼び水が可能になるという効果を奏する。
【発明を実施するための最良の形態】
【０００８】
以下に、本発明にかかる貯湯式給湯機の実施の形態を図面にもとづいて詳細に説明する。なお、この実施の形態によりこの発明が限定されるものではない。
【０００９】
実施の形態．
図１は、本発明にかかる貯湯式給湯機の装置構成を示す図であり、図２は貯湯タンクへの給水時の概略図であり、図３は追焚き熱源側循環管路への呼び水の概略図である。
【００１０】
図１に示すように、貯湯式給湯機１００は、湯水を貯留する貯湯タンク１と、貯湯タンク１内の水を加熱するヒートポンプユニット２と、貯湯タンク１の下部の低温水をヒートポンプユニット２に供給するヒートポンプ往き配管３と、ヒートポンプ往き配管３に設けられて貯湯タンク１の下部の低温水をヒートポンプユニット２に循環させる加熱循環ポンプ４と、ヒートポンプユニット２によって加熱された水を貯湯タンク１の上部に供給するヒートポンプ戻り配管５とを備え、ヒートポンプ往き配管３およびヒートポンプ戻り配管５は、湯水を貯湯タンク１とヒートポンプユニット２とに循環させる循環管路となっている。
【００１１】
また、貯湯式給湯機１００は、貯湯タンク１に水源より水を供給する給水配管１０と、給水配管１０に設けられて水源からの元供給圧を減圧するための減圧弁１１と、貯湯タンク１の上部の高温水を混合弁１３に供給する出湯配管１２と、給水配管１０を経由して供給される水と出湯配管１２を経由して供給される高温水を所定の混合比で混合し、所定温度に温度調整する混合弁１３と、混合弁１３により所定温度に温度調整された湯を供給する給湯配管１４と、減圧弁１１により減圧された水を貯湯タンク１の下部に導く給水配管２０とを備える。
【００１２】
さらに、貯湯式給湯機１００は、浴槽水追焚きを可能とする追焚き熱源側循環管路６を備えている。追焚き熱源側循環管路６は、貯湯タンク１の筒状部の上部に設けたタンク湯取出口１８から水平に取り出している。追焚き熱源側循環管路６には、熱交換器７と、貯湯タンク１の湯水を熱交換器７に循環させる追焚き循環ポンプ８と、追焚き熱源側循環方向に開く逆止弁９とが設けられ、追焚き熱源側循環管路６は、これら熱交換器７、追焚き循環ポンプ８、逆止弁９を経由して、貯湯タンク１の中部から下部の間に設けられたタンク湯戻り口１９に接続される。ここで、熱交換器７は浴槽１７内の低温水と追焚き熱源側循環管路６内の高温水を熱交換させることにより、浴槽１７内の湯水を加温する熱交換器である。熱交換器７には、浴槽水循環管路１５が浴槽１７から接続されており、浴槽水循環管路１５には浴槽１７内の湯水を熱交換器７に循環させる浴槽水循環ポンプ１６が設けられている。
【００１３】
次に、実施の形態の貯湯式給湯機１００の動作について説明する。まず、給水配管１０から給水された水は減圧弁１１により一定の圧力に減圧されて給水配管２０を介して貯湯タンク１に給水される。貯湯タンク１内に給水された水は、加熱循環ポンプ４の動作により、貯湯タンク１の下部からヒートポンプ往き配管３を経由してヒートポンプユニット２に供給され、加熱される。加熱されて高温となった湯水はヒートポンプユニット２からヒートポンプ戻り配管５を経由して貯湯タンク１の上部に戻され、貯湯タンク１に貯留される。
【００１４】
また、給湯栓（図示せず）を開くことによって、給水配管１０を経由して供給される水と出湯配管１２を経由して供給される高温水が混合弁１３により所定の混合比で混合され、所定温度に調整された湯水が給湯配管１４から給湯される。
【００１５】
次に、浴槽水の追焚き動作について説明する。浴槽水を加温するには、浴槽水循環ポンプ１６を動作させ、浴槽１７内の低温水を、浴槽水循環管路１５に導き、熱交換器７を経由させて浴槽１７内に戻す。それと同時に追焚き循環ポンプ８を動作させ、貯湯タンク１内の高温水を、貯湯タンク１の筒状部の上部の追焚き熱源側循環管路６のタンク湯取出口１８から取り出し、熱交換器７を経由させて貯湯タンク１の中部から下部の間の追焚き熱源側循環管路６のタンク湯戻り口１９から貯湯タンク１内に戻す。この時、熱交換器７では貯湯タンク１からの高温水と浴槽１７からの低温水との温度差によって熱交換が行われ、浴槽１７からの低温水は熱を受熱して昇温した状態で浴槽１７に戻され、貯湯タンク１の上部からの高温水は熱を奪われ温度が低下した状態で貯湯タンク１の中部から下部の間に戻される。
【００１６】
つづいて、追焚き熱源側循環管路６への呼び水について説明する。まず、図２に示すように、給水配管１０から貯湯タンク１内への給水で、水位が追焚き熱源側循環管路６のタンク湯戻り口１９まで到達した場合は、逆止弁９により貯湯タンク１の下部から追焚き熱源側循環管路６への水の流入を防止する。その後、図３に示すように貯湯タンク１内の水位がタンク湯取出口１８まで到達した場合は、タンク湯取出口１８から追焚き熱源側循環管路６に貯湯タンク１内の水が流入を開始する。ここで、追焚き熱源側循環管路６は、タンク湯取出口１８から水平に取り出しているので、追焚き熱源側循環管路６内の空気は、タンク湯取出口１８から流入してくる貯湯タンク１内の水と入れ替わるように、タンク湯取出口１８から貯湯タンク内に吐出される。したがって、貯湯タンク１内の湯水の水位がタンク湯取出口１８の上方まで上昇したときには、追焚き熱源側循環管路６内には滞留空気が存在せず、これにより追焚き循環ポンプ８が空運転することなく貯湯タンク１の上部から追焚き熱源側循環管路６への呼び水が可能となる。
【００１７】
このように本実施の形態においては、追焚き熱源側循環管路６は、タンク湯取出口１８から水平に取り出しているので、追焚き循環ポンプ８が空運転することなく追焚き熱源側循環管路６への呼び水が可能な貯湯式給湯機を提供できる。
【００１８】
なお、本実施の形態では、追焚き熱源側循環管路６をタンク湯取出口１８から水平に取り付けているが、タンク湯取出口１８から所望の角度で下側斜めに取り付けてもよい。または、タンク湯取出口１８から下向きの曲線を描くように取り付けてもよい。さらに、熱交換器７を追焚き以外の室内暖房などの他のシステムの熱交換に用いてもよい。
【産業上の利用可能性】
【００１９】
本発明にかかる貯湯式給湯機は、熱交換器を備えた貯湯式給湯機に有用である。
【図面の簡単な説明】
【００２０】
【図１】本発明の実施の形態にかかる貯湯式給湯機の装置構成を示す図である。
【図２】貯湯タンクへの給水時の概略図である。
【図３】追焚き熱源側循環管路への呼び水の概略図である。
【符号の説明】
【００２１】
１  貯湯タンク
２  ヒートポンプユニット
３  ヒートポンプ往き配管
４  加熱循環ポンプ
５  ヒートポンプ戻り配管
６  追焚き熱源側循環管路
７  熱交換器
８  追焚き循環ポンプ
９  逆止弁
１０  給水配管
１１  減圧弁
１２  出湯配管
１３  混合弁
１４  給湯配管
１５  浴槽水循環管路
１６  浴槽水循環ポンプ
１７  浴槽
１８  タンク湯取出口
１９  タンク湯戻り口
２０  給水配管
１００  貯湯式給湯機